(57)【要約】【課題】近接投写を行う構成において、被照射面に物体を近づけることによる画像表示への影響を軽減可能なプロジェクションシステムを提供すること。【解決手段】画像信号に応じた光を被照射面へ投写する複数のプロジェクタである第１プロジェクタ１１及び第２プロジェクタ１２を有し、第１プロジェクタ１１及び第２プロジェクタ１２は、被照射面Ｓ１へ入射させる光を、被照射面Ｓ１に沿う方向へ進行させ、かつ被照射面Ｓ１の外縁部の近傍に配置される。第１プロジェクタから投写した画像の一部と、第２プロジェクタから投写した画像の一部とは被照射面において重畳する。【選択図】図２
2009193058.tif 000002
【特許請求の範囲】
【請求項１】
画像信号に応じた光を被照射面へ投写する第１プロジェクタ及び第２プロジェクタを有
し、
前記第１プロジェクタ及び前記第２プロジェクタは、前記被照射面へ入射させる光を、
前記被照射面に沿う方向へ進行させ、
前記第１プロジェクタから投写した画像の一部と、前記第２プロジェクタから投写した
画像の一部とを前記被照射面において重畳させることを特徴とするプロジェクションシス
テム。
【請求項２】
前記第１プロジェクタ及び前記第２プロジェクタは、前記被照射面の外縁部の近傍に配
置されることを特徴とする請求項１に記載のプロジェクションシステム。
【請求項３】
前記第１プロジェクタ及び前記第２プロジェクタは、略同じ大きさの照射領域へ光を入
射可能であることを特徴とする請求項１又は請求項２に記載のプロジェクションシステム
。
【請求項４】
前記第１プロジェクタから投写した画像と、前記第２プロジェクタから投写した画像と
は前記被照射面において互いに重畳することを特徴とする請求項３に記載のプロジェクシ
ョンシステム。
【請求項５】
前記第１プロジェクタ及び前記第２プロジェクタは、投写光学系の光軸が互いに略平行
になるように配置されることを特徴とする請求項１乃至請求項４のいずれか一項に記載の
プロジェクションシステム。
【請求項６】
前記第１プロジェクタ及び前記第２プロジェクタは、前記被照射面へ光を進行させる領
域を介して互いに対向させて配置されることを特徴とする請求項１乃至請求項５のいずれ
か一項に記載のプロジェクションシステム。
【請求項７】
前記被照射面へ入射した前記第１プロジェクタからの光を検出する検出部を有し、
前記第２プロジェクタは、前記検出部による検出結果に基づいて光を投写することを特
徴とする請求項１乃至請求項６のいずれか一項に記載のプロジェクションシステム。
【請求項８】
複数の前記検出部を有することを特徴とする請求項７に記載のプロジェクションシステ
ム。
【請求項９】
前記第２プロジェクタは、前記被照射面のうち前記第１プロジェクタからの光が遮られ
た領域へ光を投写することを特徴とする請求項７又は請求項８に記載のプロジェクション
システム。
【請求項１０】
前記検出部は、前記第１プロジェクタ及び前記第２プロジェクタの少なくとも一方に設
けられることを特徴とする請求項７乃至請求項９のいずれか一項に記載のプロジェクショ
ンシステム。
【請求項１１】
前記被照射面が壁面に略平行であることを特徴とする請求項１乃至請求項１０のいずれ
か一項に記載のプロジェクションシステム。
【請求項１２】
前記被照射面が床面に略平行であることを特徴とする請求項１乃至請求項１０のいずれ
か一項に記載のプロジェクションシステム。
【請求項１３】
画像信号に応じた光を被照射面へ投写するプロジェクタであって、
前記被照射面へ入射させる光を、前記被照射面に沿う方向へ進行させ、
当該プロジェクタから投写した画像の一部と、他のプロジェクタから投写した画像の一
部とを前記被照射面において重畳させることを特徴とするプロジェクタ。
【発明の詳細な説明】
【技術分野】
【０００１】
本発明は、プロジェクションシステム、特に、プレゼンテーション等に用いられるプロ
ジェクションシステムと、これに用いられるプロジェクタの技術に関する。
【背景技術】
【０００２】
近年、フロント投写型のプロジェクタにおいて、短い投写距離で大画面を表示可能とす
る、いわゆる近接投写に関する技術が提案されている。近接投写は、投写する光を広角化
することにより実現できる。近接投写により、少ないスペースで大画面を表示することが
可能となる。また、被照射面に近い位置から斜めに光を投写することにより、プロジェク
タ自体が画像観賞の妨げとなることを回避できる。従来、近接投写に関する技術は、例え
ば、特許文献１に提案されている。特許文献１に提案される技術では、複数の反射鏡を組
み合わせた反射型結像光学系を用いて、広角化を図ることとしている。
【０００３】
被照射面に近い位置から斜めに光を投写する場合、被照射面から離れた位置で被照射面
に対向させて使用する従来のプロジェクタを使用する場合と比べて、光が遮られにくくす
ることも可能となる。例えば、プロジェクタによる表示を使用して説明者が説明を行う場
合に、説明者が手で直接、或いは指し棒等で間接的に被照射面に触れられる程度被照射面
に近い位置に立っても、説明者によって被照射面に影ができる場面を少なくできる。この
ため、近接投写が可能なプロジェクタは、プレゼンテーションに使用する場合に適してい
る。
【０００４】
【特許文献１】特開２００２−４０３２６号公報
【発明の開示】
【発明が解決しようとする課題】
【０００５】
例えば、プレゼンテーションの際、説明者は、手、指し棒等で被照射面を触れながら説
明を行う場合がある。手や指し棒等の物体を被照射面に接触させる、或いは接触する程度
まで近づけることによりプロジェクタからの光が遮られると、被照射面には物体の影がで
きる。被照射面の法線に対して大きく傾けられた光を被照射面へ入射させる場合、被照射
面の法線方向に対する傾きが小さい光が遮られる場合に比べて、長い影ができてしまうこ
とになる。このように、近接投写を行う場合に、被照射面に長い影ができることにより画
像表示へ悪い影響を及ぼすことがあるという問題を生じる。本発明は、上述の問題に鑑み
てなされたものであり、近接投写を行う構成において、被照射面に物体を近づけることに
よる画像表示への影響を軽減可能なプロジェクションシステムを提供することを目的とす
る。
【課題を解決するための手段】
【０００６】
上述した課題を解決し、目的を達成するために、本発明に係るプロジェクションシステ
ムは、画像信号に応じた光を被照射面へ投写する第１プロジェクタ及び第２プロジェクタ
を有し、第１プロジェクタ及び第２プロジェクタは、被照射面へ入射させる光を、被照射
面に沿う方向へ進行させ、第１プロジェクタから投写した画像の一部と、第２プロジェク
タから投写した画像の一部とを被照射面において重畳させることを特徴とする。
【０００７】
「被照射面へ入射させる光を、被照射面に沿う方向へ進行させる」とは、被照射面の法
線と光線とがなす角度を大きくし、被照射面に沿うように寝かせた光を進行させることを
いう。被照射面の法線と光線とがなす角度は、例えば、人が手で直接、或いは指し棒等で
間接的に被照射面に触れられる程度被照射面に近い位置に立ってもプロジェクタからの光
が遮られない程度とする。手や指し棒等の物体を被照射面に接触させた場合、プロジェク
タからの光は遮られることになる。複数のプロジェクタを用いることにより、あるプロジ
ェクタからの光が到達しなくなった領域へ、他のプロジェクタからの光を入射させること
が可能となる。あるプロジェクタからの光が到達しなくなった領域へ他のプロジェクタか
らの光を入射させることで、被照射面に接触する程度にまで被照射面に物体を近づけても
、被照射面に長い影ができる事態を回避することが可能となる。これにより、被照射面に
物体を近づけることによる画像表示への影響を軽減可能なプロジェクションシステムを得
られる。また、第１プロジェクタから投写した光の一部と、第２プロジェクタから投写し
た光の一部とを被照射面において重畳させることにより、第１プロジェクタから投写した
光と、第２プロジェクタから投写した光との境界を認識させにくくし、画像の違和感を低
減させることができる。光を重畳させることで所定の光量となるように、第１プロジェク
タ及び第２プロジェクタを減光することにより、さらに画像の違和感を低減させることが
できる。
【０００８】
また、本発明の好ましい態様としては、第１プロジェクタ及び第２プロジェクタは、被
照射面の外縁部の近傍に配置されることが望ましい。これにより、第１プロジェクタ及び
第２プロジェクタから被照射面へ入射させる光を、被照射面に沿う方向へ進行させること
ができる。
【０００９】
また、本発明の好ましい態様としては、第１プロジェクタ及び第２プロジェクタは、略
同じ大きさの照射領域へ光を入射可能であることが望ましい。これにより、被照射面に物
体を近づけることによる画像表示への影響を、被照射面の全体について軽減することがで
きる。
【００１０】
また、本発明の好ましい態様としては、前記第１プロジェクタから投写した画像と、前
記第２プロジェクタから投写した画像とは前記被照射面において互いに重畳することが望
ましい。これにより、被照射面に物体を近づけることによる画像表示への影響を、被照射
面の全体について軽減することができる。
【００１１】
また、本発明の好ましい態様としては、第１プロジェクタ及び第２プロジェクタは、投
写光学系の光軸が互いに略平行になるように配置されることが望ましい。これにより、各
プロジェクタによる照射領域を被照射面において正確に合わせることを可能とし、各プロ
ジェクタが有する解像感の低下を軽減できる。
【００１２】
また、本発明の好ましい態様としては、第１プロジェクタ及び第２プロジェクタは、被
照射面へ光を進行させる領域を介して互いに対向させて配置されることが望ましい。例え
ば、第１プロジェクタからの光が物体により遮られた場合、第２プロジェクタは、物体に
対して影となる側から光を入射させる。物体に対して影となる側から光を入射させること
で、光が到達しなくなった領域の全体へ光を入射させることが可能となる。これにより、
被照射面に物体を近づけることによる画像表示への影響をさらに軽減できる。
【００１３】
また、本発明の好ましい態様としては、被照射面へ入射した第１プロジェクタからの光
を検出する検出部を有し、第２プロジェクタは、検出部による検出結果に基づいて光を投
写することが望ましい。第１プロジェクタからの光が物体により遮られたことが検出部に
より検出された場合、第１プロジェクタからの光が到達しなくなった領域へ第２プロジェ
クタからの光を入射させる。第１プロジェクタからの光が到達しなくなった領域へ第２プ
ロジェクタからの光を入射させることにより、被照射面に物体を近づけることによる画像
表示への影響をさらに軽減できる。
【００１４】
また、本発明の好ましい態様としては、複数の検出部を有することが望ましい。被照射
面に物体を接触させることによりできた影がある検出部により検出された場合に、かかる
検出部から見て物体の向こう側については、他の検出部が監視を続行する。これにより、
被照射面の全体について影の有無を監視することができる。
【００１５】
また、本発明の好ましい態様としては、第２プロジェクタは、被照射面のうち第１プロ
ジェクタからの光が遮られた領域へ光を投写することが望ましい。これにより、被照射面
に物体を近づけることによる画像表示への影響を軽減できる。
【００１６】
また、本発明の好ましい態様としては、検出部は、第１プロジェクタ及び第２プロジェ
クタの少なくとも一方に設けられることが望ましい。第１プロジェクタ又は第２プロジェ
クタは、被照射面から投写光学系を経た光を検出部により検出する構成にできる。空間光
変調装置に対して検出部を適宜位置決めすることにより、被照射面に表示された画像を正
確に検出部で検出することが可能となる。検出部として、空間光変調装置と同じ画素数の
撮像素子を用いることにより、画素ごとの調整ができる。
【００１７】
また、本発明の好ましい態様としては、被照射面が壁面に略平行であることが望ましい
。これにより、壁面に略平行な被照射面に画像を表示することができる。
【００１８】
また、本発明の好ましい態様としては、被照射面が床面に略平行であることが望ましい
。これにより、床面に略平行な被照射面に画像を表示することができる。
【００１９】
また、上述した課題を解決し、目的を達成するために、本発明に係るプロジェクタは、
画像信号に応じた光を被照射面へ投写するプロジェクタであって、被照射面へ入射させる
光を、被照射面に沿う方向へ進行させ、当該プロジェクタから投写した画像の一部と、他
のプロジェクタから投写した画像の一部とを被照射面において重畳することを特徴とする
。係るプロジェクタを用いることにより、他のプロジェクタからの光が到達しなくなった
領域へ、当該プロジェクタからの光を入射させることが可能となる。他のプロジェクタか
らの光が到達しなくなった領域へ当該プロジェクタからの光を入射させることで、被照射
面に接触する程度にまで被照射面に物体を近づけても、被照射面に長い影ができる事態を
回避することが可能となる。これにより、被照射面に物体を近づけることによる画像表示
への影響を軽減可能なプロジェクタを得られる。また、当該プロジェクタから投写した光
の一部と、他のプロジェクタから投写した光の一部とを被照射面において重畳させること
により、当該プロジェクタから投写した光と、他のプロジェクタから投写した光との境界
を認識させにくくし、画像の違和感を低減させることができる。
【発明を実施するための最良の形態】
【００２０】
以下に図面を参照して、本発明の実施例を詳細に説明する。
【実施例１】
【００２１】
図１は、本発明の実施例１に係るプロジェクションシステムの正面構成を示す。図２は
、図１に示すプロジェクションシステムの側面構成を示す。プロジェクションシステムは
、第１プロジェクタ１１及び第２プロジェクタ１２により構成されている。第１プロジェ
クタ１１及び第２プロジェクタ１２は、共通の壁面１４に取り付けられている。第１プロ
ジェクタ１１及び第２プロジェクタ１２は、壁面１４に取り付けられたスクリーン１３へ
光を投写する。
【００２２】
スクリーン１３は、壁面１４に固定された側とは反対側に被照射面Ｓ１を向けて設けら
れている。スクリーン１３は、被照射面Ｓ１が壁面１４に略平行となるように配置されて
いる。第１プロジェクタ１１は、スクリーン１３に対して鉛直上側の位置に配置されてい
る。第２プロジェクタ１２は、スクリーン１３に対して鉛直下側の位置に配置されている
。第１プロジェクタ１１及び第２プロジェクタ１２は、いずれも被照射面Ｓ１の外縁部の
近傍に配置されている。水平方向において、第１プロジェクタ１１及び第２プロジェクタ
１２の（光軸の）位置と、被照射面Ｓ１の中心位置とは、略一致している。第１プロジェ
クタ１１及び第２プロジェクタ１２は、被照射面Ｓ１へ光を進行させる領域を介して互い
に対向させて配置されている。
【００２３】
図３は、第１プロジェクタ１１の概略構成を示す。第１プロジェクタ１１は、光学エン
ジン２１、投写レンズ２２、及び非球面ミラー２３を備える。光学エンジン２１、投写レ
ンズ２２、及び非球面ミラー２３は、筐体２５内に収納されている。
【００２４】
図４は、光学エンジン２１及び投写レンズ２２の構成を示す。超高圧水銀ランプ３１は
、赤色（Ｒ）光、緑色（Ｇ）光、青色（Ｂ）光を含む光を射出する光源部である。第１イ
ンテグレータレンズ３２及び第２インテグレータレンズ３３は、アレイ状に配列された複
数のレンズ素子を有する。第１インテグレータレンズ３２は、超高圧水銀ランプ３１から
の光束を複数に分割する。第１インテグレータレンズ３２の各レンズ素子は、超高圧水銀
ランプ３１からの光束を第２インテグレータレンズ３３のレンズ素子近傍にて集光させる
。第２インテグレータレンズ３３のレンズ素子は、第１インテグレータレンズ３２のレン
ズ素子の像を空間光変調装置上に形成する。
【００２５】
２つの第１インテグレータレンズ３２、第２インテグレータレンズ３３を経た光は、偏
光変換素子３４にて特定の振動方向の直線偏光に変換される。重畳レンズ３５は、第１イ
ンテグレータレンズ３２の各レンズ素子の像を空間光変調装置上で重畳させる。第１イン
テグレータレンズ３２、第２インテグレータレンズ３３及び重畳レンズ３５は、超高圧水
銀ランプ３１からの光の強度分布を空間光変調装置上にて均一化させる。重畳レンズ３５
からの光は、第１ダイクロイックミラー３６に入射する。第１ダイクロイックミラー３６
は、Ｒ光を反射し、Ｇ光及びＢ光を透過させる。第１ダイクロイックミラー３６へ入射し
たＲ光は、第１ダイクロイックミラー３６、反射ミラー３７で反射することにより光路が
折り曲げられ、Ｒ光用フィールドレンズ３８Ｒへ入射する。Ｒ光用フィールドレンズ３８
Ｒは、反射ミラー３７からのＲ光を平行化し、Ｒ光用空間光変調装置３９Ｒへ入射させる
。
【００２６】
Ｒ光用空間光変調装置３９Ｒは、Ｒ光を画像信号に応じて変調する空間光変調装置であ
って、透過型の液晶表示装置である。Ｒ光用空間光変調装置３９Ｒに設けられた不図示の
液晶パネルは、２つの透明基板の間に、光を画像信号に応じて変調するための液晶層を封
入している。Ｒ光用空間光変調装置３９Ｒで変調されたＲ光は、色合成光学系であるクロ
スダイクロイックプリズム４０へ入射する。
【００２７】
第１ダイクロイックミラー３６を透過したＧ光及びＢ光は、第２ダイクロイックミラー
４１へ入射する。第２ダイクロイックミラー４１は、Ｇ光を反射し、Ｂ光を透過させる。
第２ダイクロイックミラー４１へ入射したＧ光は、第２ダイクロイックミラー４１での反
射により光路が折り曲げられ、Ｇ光用フィールドレンズ３８Ｇへ入射する。Ｇ光用フィー
ルドレンズ３８Ｇは、第２ダイクロイックミラー４１からのＧ光を平行化し、Ｇ光用空間
光変調装置３９Ｇへ入射させる。Ｇ光用空間光変調装置３９Ｇは、Ｇ光を画像信号に応じ
て変調する空間光変調装置であって、透過型の液晶表示装置である。Ｇ光用空間光変調装
置３９Ｇで変調されたＧ光は、クロスダイクロイックプリズム４０のうちＲ光が入射した
面とは異なる面へ入射する。
【００２８】
第２ダイクロイックミラー４１を透過したＢ光は、リレーレンズ４２を透過した後、反
射ミラー４３での反射により光路が折り曲げられる。反射ミラー４３からのＢ光は、さら
にリレーレンズ４４を透過した後、反射ミラー４５での反射により光路が折り曲げられ、
Ｂ光用フィールドレンズ３８Ｂへ入射する。Ｒ光の光路及びＧ光の光路よりもＢ光の光路
が長いことから、空間光変調装置における照明倍率を他の色光と等しくするために、Ｂ光
の光路には、リレーレンズ４２，４４を用いるリレー光学系が採用されている。
【００２９】
Ｂ光用フィールドレンズ３８Ｂは、反射ミラー４５からのＢ光を平行化し、Ｂ光用空間
光変調装置３９Ｂへ入射させる。Ｂ光用空間光変調装置３９Ｂは、Ｂ光を画像信号に応じ
て変調する空間光変調装置であって、透過型の液晶表示装置である。Ｂ光用空間光変調装
置３９Ｂで変調されたＢ光は、クロスダイクロイックプリズム４０のうちＲ光が入射する
面、Ｇ光が入射する面とは異なる面へ入射する。
【００３０】
クロスダイクロイックプリズム４０は、互いに略直交するように配置された２つの第１
ダイクロイック膜４６、第２ダイクロイック膜４７を有する。第１ダイクロイック膜４６
は、Ｒ光を反射し、Ｇ光及びＢ光を透過させる。第２ダイクロイック膜４７は、Ｂ光を反
射し、Ｒ光及びＧ光を透過させる。クロスダイクロイックプリズム４０は、それぞれ異な
る方向から入射したＲ光、Ｇ光及びＢ光を合成し、投写レンズ２２の方向へ射出する。投
写レンズ２２は、クロスダイクロイックプリズム４０で合成された光を投写する投写光学
系である。
【００３１】
透過型液晶表示装置としては、例えば高温ポリシリコンＴＦＴ液晶パネル（High Tempe
rature Polysilicon；ＨＴＰＳ）を用いることができる。光学エンジン２１は、空間光変
調装置として透過型液晶表示装置を用いる場合に限られない。空間光変調装置としては、
反射型液晶表示装置（Liquid Crystal On Silicon；ＬＣＯＳ）、ＤＭＤ（Digital Micro
mirror Device）、ＧＬＶ（Grating Light Valve）等を用いても良い。また、色光ごとに
設けられた空間光変調装置を用いる場合に限られず、共通の空間光変調装置へ各色光を順
次供給する色順次方式による変調を行う構成としても良い。光学エンジン２１は、光源部
として超高圧水銀ランプ３１を用いる場合に限られない。光源部は、超高圧水銀ランプ３
１以外のランプや、発光ダイオード（ＬＥＤ）、スーパールミネッセンスダイオード（Ｓ
ＬＤ）等の固体光源、レーザ光源等を用いる構成としても良い。
【００３２】
図３に戻って、非球面ミラー２３は、非球面形状の曲面である凸面をなす反射面を有す
る。非球面ミラー２３は、反射により投写レンズ２２からの光を、主に水平方向について
広角化させる。また、非球面ミラー２３は、反射により投写レンズ２２からの光を折り曲
げて被照射面Ｓ１（図２参照）の方向へ進行させる。非球面ミラー２３は、例えば、樹脂
部材等を有する基材上に反射膜を形成することにより構成できる。反射膜としては、高反
射性の部材の層、例えばアルミニウム等の金属部材の層や誘電体多層膜等を用いることが
できる。また、反射膜の上には、透明部材を有する保護膜を形成することとしても良い。
【００３３】
非球面ミラー２３は、曲面形状の反射面により、光の折り曲げと広角化とを同時に行う
ことが可能となる。投写レンズ２２のみならず非球面ミラー２３によっても光を広角化さ
せることで、投写レンズ２２のみにより光を広角化させる場合よりも投写レンズ２２を小
型にすることができる。投写レンズ２２及び非球面ミラー２３は、画像の拡大と被照射面
Ｓ１における結像とを行っている。投写レンズ２２は、画像の拡大及び被照射面Ｓ１にお
ける結像の機能を果たす。非球面ミラー２３は、画像の拡大の機能を果たす。非球面ミラ
ー２３は、画像の歪みを補正できるように適宜変形させても良い。
【００３４】
射出部２４は、非球面ミラー２３からの光を筐体２５外部へ射出する。射出部２４は、
筐体２５のうち鉛直下側を向けられた面に設けられている。射出部２４は、筐体２５に設
けられた開口を完全に塞ぐように設けられた透明部材により構成されている。第１プロジ
ェクタ１１は、射出部２４から被照射面Ｓ１へ向けて、斜め下向きに光を射出する。第１
プロジェクタ１１は、非球面ミラー２３を完全に筐体２５内部に収納する他、筐体２５に
形成された開口から非球面ミラー２３の一部をはみ出させる構成としても良い。
【００３５】
図５は、第１プロジェクタ１１の光学系を模式的に表したものである。第１プロジェク
タ１１は、説明に不要な構成の図示を省略している。非球面ミラー２３は、中心軸に関し
て略回転対称な形状、例えば、円錐形状のうち頂点部以外の一部を切り取った形状とする
ことができる。非球面ミラー２３の中心軸は、投写レンズ２２の光軸ＡＸ１と略一致して
いる。本実施例では、非球面ミラー２３の中心軸を、非球面ミラー２３の光軸とする。投
写レンズ２２及び非球面ミラー２３は、いずれも共通の光軸ＡＸ１を持つ、いわゆる共軸
光学系を構成している。また、スクリーン１３は、被照射面Ｓ１の法線Ｎが、投写レンズ
２２及び非球面ミラー２３の光軸ＡＸ１と略平行になるように配置されている。
【００３６】
共軸光学系を採用することにより、通常の共軸系の設計手法を採用することが可能であ
る。よって、光学系の設計工数を少なくし、かつ収差が少ない光学系を実現することがで
きる。また、非球面ミラー２３を光軸ＡＸ１に関して略回転対称な形状とすることで、非
球面ミラー２３の光軸と他の構成の光軸とを容易に一致させることが可能となる。非球面
ミラー２３は軸対称の非球面形状となることから、旋盤等の簡易な手法により加工を行う
ことができる。よって、非球面ミラー２３を容易かつ高い精度で製造することができる。
なお、光学系は、凸面を有する非球面ミラー２３を用いる構成に限られず、凹面を有する
非球面ミラーを用いる構成であっても良い。また、反射面は、必ずしも非球面形状である
場合に限られず、自由曲面形状であっても良い。光学系は、共軸光学系である場合に限ら
れず、各光学要素の個々の光軸を不一致とした偏芯光学系であっても良い。偏芯光学系の
場合、空間光変調装置の被照射面に垂直な軸を光軸と定義して、本実施例を適用すること
ができる。
【００３７】
投写レンズ２２及び非球面ミラー２３は、画像信号に応じて変調された光を光軸ＡＸ１
に対して特定の側へシフトさせて進行させる、いわゆるシフト光学系を構成している。具
体的には、画像信号に応じて変調された光を、光軸ＡＸ１に対して特定の側である鉛直下
側へシフトさせて進行させている。光学エンジン２１中のクロスダイクロイックプリズム
４０の射出面に仮想的に形成される像面の中心法線は、光軸ＡＸ１に対して平行であって
、光軸ＡＸ１に対して特定の側とは反対側である鉛直上側にある。シフト光学系を採用す
ることにより、第１プロジェクタ１１は、被照射面Ｓ１に対して大きな入射角をなす光を
入射させることができる。入射角は、被照射面Ｓ１の法線Ｎと入射光線とがなす角度であ
る。
【００３８】
第１プロジェクタ１１は、投写レンズ２２及び非球面ミラー２３を用いることで、近接
投写を行う。近接投写は、投写する光を広角化することにより実現できる。第１プロジェ
クタ１１の画角θは、少なくとも１５０度以上であって、例えば１６０度である。さらに
、第１プロジェクタ１１は、広角化させたうちの一部の角度範囲のみを使用するシフト光
学系を採用することで、被照射面Ｓ１へ入射させる光を、被照射面Ｓ１に沿う方向へ進行
させる。
【００３９】
「被照射面Ｓ１へ入射させる光を、被照射面Ｓ１に沿う方向へ進行させる」とは、被照
射面Ｓ１の法線Ｎと光線とがなす角度を大きくし、被照射面Ｓ１に沿うように寝かせた光
を進行させることをいう。「被照射面Ｓ１に沿うように寝かせた光を進行させる」とは、
例えば、被照射面Ｓ１へ入射する光線と法線Ｎとがなす最大角度αが６５度〜８５度であ
る場合を指すものとする。このようにして、第１プロジェクタ１１は、被照射面Ｓ１の外
縁部の近傍の位置から被照射面Ｓ１の略全体へ光を投写させる。
【００４０】
図６は、第２プロジェクタ１２の概略構成を示す。第２プロジェクタ１２は、第１プロ
ジェクタ１１と同様、光学エンジン２１、投写レンズ２２、非球面ミラー２３、射出部２
４、及び筐体２５を備える。射出部２４は、筐体２５のうち鉛直上側を向けられた面に設
けられている。第２プロジェクタ１２は、射出部２４から被照射面Ｓ１に向けて、斜め上
向きに光を射出する。
【００４１】
第２プロジェクタ１２の投写レンズ２２及び非球面ミラー２３は、第１プロジェクタ１
１と同様に、共軸光学系及びシフト光学系を構成する。第２プロジェクタ１２は、第１プ
ロジェクタ１１とは逆に、画像信号に応じて変調された光を、光軸に対して鉛直上側へシ
フトさせて進行させている。また、第２プロジェクタ１２は、第１プロジェクタ１１と同
様に、被照射面Ｓ１へ入射させる光を、被照射面Ｓ１に沿う方向へ進行させる。第２プロ
ジェクタ１２は、被照射面Ｓ１の外縁部の近傍の位置から被照射面Ｓ１の略全体へ光を投
写する。
【００４２】
図１及び図２に示すように、第１プロジェクタ１１及び第２プロジェクタ１２は、いず
れも被照射面Ｓ１の略全体へ光を投写する。第１プロジェクタ１１及び第２プロジェクタ
１２は、略同じ大きさの照射領域へ光を入射させる。第１プロジェクタ１１の照射領域と
第２プロジェクタ１２の照射領域とは、被照射面Ｓ１でちょうど重なり合う。プロジェク
ションシステムは、第１プロジェクタ１１からの光と第２プロジェクタ１２からの光とを
被照射面Ｓ１で重ね合わせることにより、画像を表示する。
【００４３】
第１プロジェクタ１１の投写レンズ２２の光軸ＡＸ１と、第２プロジェクタ１２の投写
レンズ２２の光軸ＡＸ２とは、略平行である。これにより、第１プロジェクタ１１による
照射領域と第２プロジェクタ１２による照射領域とを被照射面Ｓ１において正確に合わせ
ることを可能とし、第１プロジェクタ１１及び第２プロジェクタ１２が有する解像感の低
下を軽減できる。第１プロジェクタ１１及び第２プロジェクタ１２は、被照射面Ｓ１へ入
射させる光を被照射面Ｓ１に沿う方向へ進行させることが可能であれば良く、適宜変形し
ても良い。例えば、第１プロジェクタ１１、第２プロジェクタ１２は、投写レンズ２２と
非球面ミラー２３との間に、光路を折り曲げるためのミラーを設けることとしても良い。
【００４４】
図７は、本実施例のプロジェクションシステムをプレゼンテーションに使用する場合に
ついて説明するものである。被照射面Ｓ１の外縁部の近傍に設けられた第１プロジェクタ
１１及び第２プロジェクタ１２から光を投写する場合、被照射面Ｓ１から離れた位置で被
照射面Ｓ１に対向させて使用する従来のプロジェクタを使用する場合と比べて、光が遮ら
れにくくすることが可能となる。説明者は、手で直接、或いは指し棒等で間接的に被照射
面Ｓ１に触れられる程度、被照射面Ｓ１に近い位置に立っても、第１プロジェクタ１１か
らの光、第２プロジェクタ１２からの光を遮らずにプレゼンテーションができる。
【００４５】
図８は、本実施例の比較例として、一台のプロジェクタ４８のみにより光を投写する場
合について説明するものである。プロジェクタ４８は、上記の第１プロジェクタ１１と同
様に、被照射面Ｓ１の鉛直上側から近接投写を行うものとする。例えば、プレゼンテーシ
ョンの際、説明者は、手、指し棒等で被照射面Ｓ１を触れながら説明を行う場合がある。
手や指し棒等の物体を被照射面Ｓ１に接触させる、或いは接触する程度まで近づけること
によりプロジェクタ４８からの光が遮られると、被照射面Ｓ１のうち物体より下側に物体
の影４９ができる。被照射面Ｓ１の法線Ｎに対して大きく傾けられた光を被照射面Ｓ１へ
入射させる場合、被照射面Ｓ１の法線Ｎ方向に対する傾きが小さい光が遮られる場合に比
べて、長い影４９ができてしまうことになる。このように、一台のプロジェクタ４８のみ
により近接投写を行う場合、被照射面Ｓ１に長い影４９ができることにより画像表示へ悪
い影響を及ぼすことがある。
【００４６】
図９は、本発明のプロジェクションシステムである第１プロジェクタ１１及び第２プロ
ジェクタ１２により光を投写する場合について説明するものである。被照射面Ｓ１に物体
を接触させる、或いは接触する程度まで近づけると、第１プロジェクタ１１からの光は、
物体の位置より鉛直下側の所定の領域ｈ１へは到達しないことになる。かかる領域ｈ１に
は、第２プロジェクタ１２からの光を入射させる。第２プロジェクタ１２からの光を入射
させることにより、領域ｈ１は影にならない。
【００４７】
また、第２プロジェクタ１２からの光は、物体の位置より鉛直上側の所定の領域ｈ２へ
は到達しないことになる。かかる領域ｈ２には、第１プロジェクタ１１からの光を入射さ
せる。第１プロジェクタ１１からの光を入射させることにより、領域ｈ２は影にならない
。被照射面Ｓ１へ光を進行させる領域を介して互いに対向させて第１プロジェクタ１１及
び第２プロジェクタ１２を配置することで、物体に対して影となる側から光を入射させる
ことが可能となる。物体に対して影となる側から光を入射させることで、第１プロジェク
タ１１からの光が到達しなくなった領域ｈ１、第２プロジェクタ１２からの光が到達しな
くなった領域ｈ２の全体へ光を入射させることが可能となる。
【００４８】
第１プロジェクタ１１及び第２プロジェクタ１２のうち一方から投写された光が到達し
なくなった領域へ、他方から投写された光を入射させることで、被照射面Ｓ１に接触する
程度にまで被照射面Ｓ１に物体を近づけても、被照射面Ｓ１に長い影ができる事態を回避
することが可能となる。これにより、被照射面Ｓ１に物体を近づけることによる画像表示
への影響を軽減させることができるという効果を奏する。第１プロジェクタ１１及び第２
プロジェクタ１２は、略同じ大きさの照射領域へ光を入射させることで、被照射面Ｓ１に
物体を近づけることによる画像表示への影響を、被照射面Ｓ１の全体について軽減するこ
とができる。
【００４９】
図１０は、本実施例の変形例に係るプロジェクションシステムの正面構成を示す。本変
形例に係るプロジェクションシステムは、第１プロジェクタ５１及び第２プロジェクタ５
２により構成されている。第１プロジェクタ５１は、被照射面Ｓ１に向かって、スクリー
ン１３の左側の位置に配置されている。第２プロジェクタ５２は、被照射面Ｓ１に向かっ
て、スクリーン１３の右側の位置に配置されている。第１プロジェクタ５１及び第２プロ
ジェクタ５２は、いずれも被照射面Ｓ１の外縁部の近傍に配置されている。鉛直方向にお
いて、第１プロジェクタ５１及び第２プロジェクタ５２の（光軸の）位置と、被照射面Ｓ
１の中心位置とは、略一致している。第１プロジェクタ５１及び第２プロジェクタ５２は
、被照射面Ｓ１へ光を進行させる領域を介して互いに対向させて配置されている。
【００５０】
第１プロジェクタ５１は、被照射面Ｓ１が設けられた右の方向へ光を投写する。第２プ
ロジェクタ５２は、被照射面Ｓ１が設けられた左の方向へ光を投写する。第１プロジェク
タ５１及び第２プロジェクタ５２のいずれも、被照射面Ｓ１へ入射させる光を、被照射面
Ｓ１へ沿う方向へ進行させる。第１プロジェクタ５１及び第２プロジェクタ５２は、光を
進行させる方向が異なる他は、上記の第１プロジェクタ１１、第２プロジェクタ１２と同
様の構成を有する。本変形例の場合も、被照射面Ｓ１に物体を近づけることによる画像表
示への影響を軽減させることができる。
【００５１】
第１プロジェクタ１１、第２プロジェクタ１２は、投写レンズ２２を用いず、例えば非
球面ミラーを組み合わせたものであっても良い。また、第１プロジェクタ１１、第２プロ
ジェクタ１２は、共通の光軸ＡＸ１，ＡＸ２を有するものに限られない。第１プロジェク
タ１１、第２プロジェクタ１２は、共通の光軸を持たない、いわゆる偏芯光学系を用いる
ものであっても良い。
【００５２】
プロジェクションシステムは、被照射面Ｓ１へ光を進行させる領域を介して互いに対向
させて配置されたプロジェクタを有する構成であれば良く、本実施例で説明する位置にプ
ロジェクタを配置するものに限られない。例えば、プロジェクションシステムは、被照射
面Ｓ１の角部の近傍にプロジェクタを配置することとしても良い。互いに対向させて配置
されたプロジェクタは、光軸に対して互いに逆方向へ光をシフトさせる。また、プロジェ
クションシステムは、二台のプロジェクタを備える場合に限られず、三台以上のプロジェ
クタを備えることとしても良い。例えば、プロジェクションシステムは、被照射面Ｓ１の
上下左右に一台ずつ、計四台のプロジェクタを備えることとしても良い。
【００５３】
プロジェクションシステムは、複数のプロジェクタを用いることにより、以下のような
効果も得られる。例えば、複数のプロジェクタにより同一の画像を重ね合わせることによ
り、明るい表示が可能となる。複数のプロジェクタのうちの少なくとも一台により、特に
明るくしたい領域へのみ光を投写することで、高いコントラストの表示が可能となる。複
数のプロジェクタにより互いに異なる画像を重ね合わせることにより、効果的な演出が可
能となる。この他、各プロジェクタを順次駆動させることにより、光源部を長持ちさせる
ことも可能となる。
【実施例２】
【００５４】
図１１は、本発明の実施例２に係るプロジェクションシステムの正面構成を示す。本実
施例のプロジェクションシステムは、検出用カメラ５５を有することを特徴とする。上記
実施例と同一の部分には同一の符号を付し、重複する説明を省略する。検出用カメラ５５
は、被照射面Ｓ１へ入射した第１プロジェクタ１１からの光を検出する検出部として機能
する。検出用カメラ５５は、第１プロジェクタ１１の近傍に設けられている。検出用カメ
ラ５５は、入射した光を電子信号に変換する複数の受光素子（不図示）を備える。検出用
カメラ５５としては、例えば、ＣＣＤやＣＭＯＳセンサを用いることができる。
【００５５】
第１プロジェクタ１１から投写した光が物体により遮られない限り、プロジェクション
システムは、第１プロジェクタ１１からの光のみを用いて画像を表示する。検出用カメラ
５５は、被照射面Ｓ１の全体を撮影する。また、検出用カメラ５５は、撮影された画像の
情報と、第１プロジェクタ１１へ供給される画像信号とを比較することにより、第１プロ
ジェクタ１１からの光が到達しなくなった領域の有無を監視する。
【００５６】
第１プロジェクタ１１からの光が物体により遮られた場合、検出用カメラ５５は、物体
により第１プロジェクタ１１からの光が到達しなくなった領域を認識する。第２プロジェ
クタ１２は、検出用カメラ５５による検出結果に基づいて、被照射面Ｓ１のうち第１プロ
ジェクタ１１からの光が遮られた領域へ光を投写する。本実施例の場合も、被照射面Ｓ１
に物体を近づけることによる画像表示への影響を軽減させることができる。第１プロジェ
クタ１１からの光が到達しなくなった領域の有無を、検出用カメラ５５により常時監視す
ることにより、画像信号に応じた画像を遅滞無く表示することができる。
【００５７】
図１２は、本実施例の変形例に係るプロジェクションシステムの正面構成を示す。本変
形例のプロジェクションシステムは、第１検出用カメラ５６及び第２検出用カメラ５７を
有する。第１検出用カメラ５６及び第２検出用カメラ５７は、被照射面Ｓ１へ入射した第
１プロジェクタ１１からの光を検出する検出部として機能する。第１検出用カメラ５６は
、第１プロジェクタ１１の近傍に設けられている。第２検出用カメラ５７は、第２プロジ
ェクタ１２の近傍に設けられている。第１検出用カメラ５６及び第２検出用カメラ５７は
、被照射面Ｓ１へ光を進行させる領域を介して互いに対向させて配置されている。
【００５８】
第１プロジェクタ１１からの光が物体により遮られた場合、物体及び第１検出用カメラ
５６の間の領域は、第１検出用カメラ５６により監視する。物体及び第２検出用カメラ５
７の間の領域は、第２検出用カメラ５７により監視する。第１検出用カメラ５６及び第２
検出用カメラ５７を用いることにより、監視できなくなる死角を少なくできる。これによ
り、被照射面Ｓ１に物体を近づけることによる画像表示への影響をさらに軽減させること
ができる。プロジェクションシステムは、一つ又は二つの検出用カメラを備える構成に限
られず、三つ以上の検出用カメラを備える構成としても良い。
【００５９】
図１３は、第１プロジェクタ１１からの光が到達しなくなった領域へ第２プロジェクタ
１２からの光を入射させる場合に生じ得る不具合について説明するものである。物体Ｍに
より第１プロジェクタ１１からの光が遮られると、第１プロジェクタ１１からの光により
得られる画像Ｐ１に、図中斜線を付して示すように、影ができる。検出用カメラにより画
像Ｐ１が検出されると、第２プロジェクタ１２は、図中白抜きを付して示すように、影に
相当する領域へ光を入射させる画像Ｐ２を表示する。第１プロジェクタ１１、第２プロジ
ェクタ１２の個体差や光学系に存在するずれ等の影響により、画像Ｐ１の影の部分に、画
像Ｐ２の光を入射させる部分を高い精度で一致させることは極めて困難である。例えば、
画像Ｐ１及び画像Ｐ２を組み合わせた画像Ｐ１２には、図中斜線を付して示すように、影
の境界部分が残る場合がある。
【００６０】
図１４は、本実施例の望ましい態様について説明するものである。物体Ｍにより第１プ
ロジェクタ１１からの光が遮られた場合に、第２プロジェクタ１２は、画像Ｐ２のうち影
に相当する領域に隣接する境界領域５９へも光を入射させる。画像Ｐ１及び画像Ｐ２を組
み合わせた画像Ｐ１２では、第１プロジェクタ１１からの光により得られる画像Ｐ１のう
ち、影になった領域に隣接する境界領域５８と、第２プロジェクタ１２による画像Ｐ２の
境界領域５９とを重畳させる。このように、プロジェクションシステムは、第１プロジェ
クタ１１から投写した光の一部と、第２プロジェクタ１２から投写した光の一部とを被照
射面Ｓ１において重畳させることが望ましい。
【００６１】
境界領域５８，５９を重畳させることにより、影の境界部分が残らないようにすること
ができる。さらに、画像Ｐ１における境界領域５８、及び画像Ｐ２における境界領域５９
のいずれも、画像信号に応じた光量を半減させた光量とすることが望ましい。これにより
、画像Ｐ１２のうち境界領域５８，５９を重畳させた部分のみが明るくなることを防ぎ、
第１プロジェクタ１１からの光が入射する領域と第２プロジェクタ１２からの光が入射す
る領域との自然な繋がりを実現できる。自然な繋がりを実現可能とすることで、違和感が
さらに軽減された画像Ｐ１２を得られる。
【００６２】
図１５は、第１プロジェクタ１１に検出用カメラ６３を設ける場合の構成例を示す。第
１プロジェクタ１１は、説明に不要な構成の図示を省略している。偏光分離素子６０は、
クロスダイクロイックプリズム４０及び投写レンズ２２の間の光路中に設けられている。
偏光分離素子６０は、２つの三角プリズムを貼り合わせて構成されている。２つの三角プ
リズムの接合面には、偏光選択膜６１が形成されている。偏光選択膜６１は、第１偏光を
透過させ、第２偏光を反射する誘電体多層膜である。第１偏光は、第１の振動方向の直線
偏光であって、例えばｓ偏光である。第２偏光は、第１の振動方向に略直交する第２の振
動方向の直線偏光であって、例えばｐ偏光である。
【００６３】
各Ｒ光用空間光変調装置３９Ｒ、Ｇ光用空間光変調装置３９Ｇ、Ｂ光用空間光変調装置
３９Ｂは、第１偏光を射出する。クロスダイクロイックプリズム４０から偏光分離素子６
０へ入射した第１偏光は、偏光選択膜６１を透過し、投写レンズ２２へ入射する。投写レ
ンズ２２から被照射面Ｓ１へ投写された第１偏光の一部は、被照射面Ｓ１での反射等を経
ることにより第２偏光へ変換される。被照射面Ｓ１から投写レンズ２２を経て偏光分離素
子６０へ入射した光のうち第２偏光は、偏光選択膜６１で反射する。偏光選択膜６１での
反射により光路が折り曲げられた第２偏光は、偏光分離素子６０から射出した後、集光レ
ンズ６２へ入射する。集光レンズ６２へ入射した光は、検出用カメラ６３へ入射する。第
１プロジェクタ１１は、被照射面Ｓ１から投写レンズ２２を経た光を検出用カメラ６３に
より検出する。
【００６４】
各Ｒ光用空間光変調装置３９Ｒ、Ｇ光用空間光変調装置３９Ｇ、Ｂ光用空間光変調装置
３９Ｂに対して検出用カメラ６３を適宜位置決めすることにより、被照射面Ｓ１に表示さ
れた画像を正確に検出用カメラ６３で検出することが可能となる。検出用カメラ６３とし
て、各Ｒ光用空間光変調装置３９Ｒ、Ｇ光用空間光変調装置３９Ｇ、Ｂ光用空間光変調装
置３９Ｂと同じ画素数の撮像素子を用いることにより、画素ごとの調整ができる。なお、
偏光分離素子６０に代えて、他の光学素子を用いても良い。例えば、入射する光の一部を
透過させ、他の一部を反射する透過反射ミラーを用いても良い。また、例えば、可視光を
透過させ、赤外光を反射する波長分離素子を用いても良い。検出用カメラ６３は、被照射
面Ｓ１に供給された赤外光を検出することにより、プロジェクタからの光が到達しなくな
った領域の有無を監視できる。この他、クロスダイクロイックプリズム４０からの光を透
過させ、投写レンズ２２からの光を検出用カメラ６３の方向へ進行させる特性を備えるホ
ログラムを用いても良い。検出用カメラ６３は、第１プロジェクタ１１に設ける場合と同
様に、第２プロジェクタ１２にも設けることができる。プロジェクションシステムは、第
１プロジェクタ１１及び第２プロジェクタ１２のうち少なくとも一方に検出用カメラ６３
を備える構成であれば良い。
【実施例３】
【００６５】
図１６は、本発明の実施例３に係るプロジェクションシステムの側面構成を示す。本実
施例のプロジェクションシステムは、床面７３の一部を被照射面Ｓ２とすることを特徴と
する。上記実施例と重複する説明は省略する。第１プロジェクタ７１及び第２プロジェク
タ７２は、床面７３上に取り付けられる。第１プロジェクタ７１及び第２プロジェクタ７
２は、床面７３のうち第１プロジェクタ７１及び第２プロジェクタ７２の間の部分へ光を
投写する。第１プロジェクタ７１及び第２プロジェクタ７２は、被照射面Ｓ２へ光を進行
させる領域を互いに対向させて配置されている。
【００６６】
第１プロジェクタ７１及び第２プロジェクタ７２のいずれも、被照射面Ｓ２へ入射させ
る光を、被照射面Ｓ２へ沿う方向へ進行させる。第１プロジェクタ７１及び第２プロジェ
クタ７２は、光を進行させる方向が異なる他は、上記の第１プロジェクタ１１、第２プロ
ジェクタ１２と同様の構成を有する。
【００６７】
本実施例のプロジェクションシステムは、被照射面Ｓ２上に人を立たせることが可能で
ある。第１プロジェクタ７１及び第２プロジェクタ７２は、被照射面Ｓ２上に立った人の
目に光が入ることが無い程度、被照射面Ｓ２に沿うように寝かせた光を進行させる。被照
射面Ｓ２に立つ人は、被照射面Ｓ２に接触することにより必ず光を遮ることとなる。一台
のプロジェクタを使用する場合、被照射面Ｓ２上に人を立たせることにより、被照射面Ｓ
２上には必ず影ができる。第１プロジェクタ７１及び第２プロジェクタ７２を使用するこ
とにより、被照射面Ｓ２上に人を立たせても、被照射面Ｓ２上に影ができる場面を少なく
できる。本実施例のプロジェクションシステムは、被照射面Ｓ２に人や物体を立たせるこ
とによる画像表示への影響を軽減させることができる。
【００６８】
本実施例のプロジェクションシステムは、床面７３の一部を被照射面Ｓ２とするものに
限られない。プロジェクションシステムは、床面７３に略平行な被照射面Ｓ２へ光を投写
するものであれば良い。プロジェクションシステムは、例えば、台、机、テーブル等の上
面を被照射面Ｓ２とするものであっても良い。この場合も、上面に人の体の一部や物体を
置くことによる画像表示への影響を軽減させることができる。本実施例のプロジェクショ
ンシステムは、天井面に配置し、天井面の一部を被照射面とするものであっても良い。
【００６９】
図１７及び図１８は、本発明のプロジェクションシステムの応用例を説明するものであ
る。プロジェクションシステムを構成するプロジェクタは、超広角化させたうちの一部の
角度範囲について光を投写するシフト光学系を採用することにより、光の進行方向を揃え
ることが可能である。本発明のプロジェクションシステムは、被照射面に形成された複数
の凸部を備えるスクリーン７５と組み合わせることとしても良い。
【００７０】
凸部は、第１面７６及び第２面７７により構成されている。凸部は、三角形状の断面構
成を有する。第１面７６は、第１プロジェクタ（不図示）からの光Ｌ１が垂直に近い角度
で入射する傾きで形成されている。第２面７７は、第２プロジェクタ（不図示）からの光
Ｌ２が垂直に近い角度で入射する傾きで形成されている。スクリーン７５により光Ｌ１及
び光Ｌ２の視野角を制御可能であることを利用して、図１７に示す第１の応用例のように
、観察者の右目と左目とで異なる画像を認識させることが可能となる。観察者の右目と左
目とで異なる画像を認識させることにより、立体表示を行うことが可能となる。また、図
１８に示す第２の応用例のように、第１面７６に対向する位置と第２面７７に対向する位
置とで、異なる画像を認識させることも可能となる。このように、本発明のプロジェクシ
ョンシステムを使用して、効果的な演出を可能にできる。
【産業上の利用可能性】
【００７１】
以上のように、本発明に係るプロジェクションシステムは、特に、プレゼンテーション
に用いる場合に適している。
【図面の簡単な説明】
【００７２】
【図１】本発明の実施例１に係るプロジェクションシステムの正面構成を示す図。
【図２】図１に示すプロジェクションシステムの側面構成を示す図。
【図３】第１プロジェクタの概略構成を示す図。
【図４】光学エンジン及び投写レンズの構成を示す図。
【図５】第１プロジェクタの光学系を模式的に表した図。
【図６】第２プロジェクタの概略構成を示す図。
【図７】プロジェクションシステムをプレゼンテーションに使用する場合の図。
【図８】一台のプロジェクタのみにより光を投写する場合の図。
【図９】第１プロジェクタ及び第２プロジェクタにより光を投写する場合の図。
【図１０】実施例１の変形例に係るプロジェクションシステムの正面構成を示す図。
【図１１】本発明の実施例２に係るプロジェクションシステムの正面構成を示す図。
【図１２】実施例２の変形例に係るプロジェクションシステムの正面構成を示す図。
【図１３】第２プロジェクタからの光を用いて生じ得る不具合について説明する図。
【図１４】実施例２の望ましい態様について説明する図。
【図１５】第１プロジェクタに検出用カメラを設ける場合の構成例を示す図。
【図１６】本発明の実施例３に係るプロジェクションシステムの側面構成を示す図。
【図１７】本発明のプロジェクションシステムの第１の応用例を説明する図。
【図１８】本発明のプロジェクションシステムの第２の応用例を説明する図。
【符号の説明】
【００７３】
１１…第１プロジェクタ、１２…第２プロジェクタ、１３…スクリーン、１４…壁面、
ＡＸ１，ＡＸ２…光軸、Ｓ１…被照射面、２１…光学エンジン、２２…投写レンズ、２３
…非球面ミラー、２４…射出部、２５…筐体、３１…超高圧水銀ランプ、３２…第１イン
テグレータレンズ、３３…第２インテグレータレンズ、３４…偏光変換素子、３５…重畳
レンズ、３６…第１ダイクロイックミラー、３７…反射ミラー、３８Ｒ…Ｒ光用フィール
ドレンズ、３８Ｇ…Ｇ光用フィールドレンズ、３８Ｂ…Ｂ光用フィールドレンズ、３９Ｒ
…Ｒ光用空間光変調装置、３９Ｇ…Ｇ光用空間光変調装置、３９Ｂ…Ｂ光用空間光変調装
置、４０…クロスダイクロイックプリズム、４１…第２ダイクロイックミラー、４２，４
４…リレーレンズ、４３，４５…反射ミラー、４６…第１ダイクロイック膜、４７…第２
ダイクロイック膜、Ｎ…法線、４８…プロジェクタ、４９…影、５１…第１プロジェクタ
、５２…第２プロジェクタ、５５…検出用カメラ、５６…第１検出用カメラ、５７…第２
検出用カメラ、５８，５９…境界領域、６０…偏光分離素子、６１…偏光選択膜、６２…
集光レンズ、６３…検出用カメラ、７１…第１プロジェクタ、７２…第２プロジェクタ、
７３…床面、Ｓ２…被照射面、７５…スクリーン、７６…第１面、７７…第２面。
【図１】
2009193058.tif 000003
【図２】
2009193058.tif 000004
【図３】
2009193058.tif 000005
【図４】
2009193058.tif 000006
【図５】
2009193058.tif 000007
【図６】
2009193058.tif 000008
【図７】
2009193058.tif 000009
【図８】
2009193058.tif 000010
【図９】
2009193058.tif 000011
【図１０】
2009193058.tif 000012
【図１１】
2009193058.tif 000013
【図１２】
2009193058.tif 000014
【図１３】
2009193058.tif 000015
【図１４】
2009193058.tif 000016
【図１５】
2009193058.tif 000017
【図１６】
2009193058.tif 000018
【図１７】
2009193058.tif 000019
【図１８】
2009193058.tif 000020